(57)【特許請求の範囲】
【請求項１】
第１方向において相手側コネクタと嵌合するコネクタであって、
前記コネクタは、複数の被保持部を有するハウジングと、前記被保持部に夫々対応する複数の端子とを備えており、
前記端子の夫々は、基部と、第１部位と、第２部位と、第３部位とを有しており、
前記第１部位は、前記基部から直接延びており、
前記第１部位には、前記第１方向と直交する第２方向において前記第２部位に向かって突出する第１接点部が設けられており、
前記第２部位は、前記基部から直接延びており、
前記第２部位には、前記第２方向において前記第１部位に向かって突出すると共に前記第１接点部と対向する第２接点部と、前記第２方向において前記第３部位に向かって突出する突起とが設けられており、
前記第３部位は、前記基部から直接延びており、
前記被保持部の夫々は、当該被保持部に対応する前記端子の前記第２部位と前記第３部位とに保持されており、
前記相手側コネクタは、前記端子に夫々対応する複数の相手側端子を備えており、
前記コネクタが前記相手側コネクタと嵌合したとき、前記相手側端子の夫々が、当該相手側端子に対応する前記端子の前記第１接点部と前記第２接点部との間に挟まれ、それによって、前記突起が前記被保持部に対して押し付けられ、
前記第２部位は、端部を有しており、
前記第１方向において、前記端部と前記基部との間の距離は、前記突起と前記基部との間の距離よりも大きく、
前記コネクタが前記相手側コネクタと嵌合する前、前記端部は前記第２方向において前記被保持部から離れて位置しており、
前記コネクタが前記相手側コネクタと嵌合すると、前記端部が前記被保持部まで又は前記被保持部に向かって移動する
コネクタ。
【請求項２】
第１方向において相手側コネクタと嵌合するコネクタであって、
前記コネクタは、複数の被保持部を有するハウジングと、前記被保持部に夫々対応する複数の端子とを備えており、
前記端子の夫々は、基部と、第１部位と、第２部位と、第３部位とを有しており、
前記第１部位は、前記基部から直接延びており、
前記第１部位には、前記第１方向と直交する第２方向において前記第２部位に向かって突出する第１接点部が設けられており、
前記第２部位は、前記基部から直接延びており、
前記第２部位には、前記第２方向において前記第１部位に向かって突出すると共に前記第１接点部と対向する第２接点部と、前記第２方向において前記第３部位に向かって突出する突起とが設けられており、
前記第３部位は、前記基部から前記第１方向に直接延びており、
前記被保持部の夫々は、当該被保持部に対応する前記端子の前記第２部位と前記第３部位とに保持されており、
前記端子の夫々には、前記コネクタが回路基板に搭載されたときに前記回路基板に固定される被固定部が設けられており、
前記被固定部は、前記第３部位から延びており、且つ、前記第１方向において前記基部から離れて位置している
コネクタ。
【請求項３】
請求項２記載のコネクタであって、
前記ハウジングに取り付けられた２つの補強部材を更に備えており、
前記補強部材の夫々は、支持部と２つの留め部とを有しており、
前記支持部は、前記コネクタが前記相手側コネクタと嵌合する際に、前記ハウジングを受け止めて支持しており、
前記留め部は、前記第２方向において前記支持部から互いに逆方向に延びており、
前記留め部は、前記コネクタが前記回路基板に搭載されたときに前記回路基板に固定され、前記支持部を前記回路基板に対して留める
コネクタ。
【請求項４】
請求項３記載のコネクタであって、
前記ハウジングは、２つの第１壁部と２つの第２壁部とを有しており、
前記第１壁部は、前記第２方向において、互いに離れて位置しており、
前記第１壁部の夫々は、前記被保持部を有しており、
前記第２壁部は、前記第１方向及び前記第２方向の双方と直交する第３方向において、互いに離れて位置しており、
前記第２壁部の夫々は、前記第２方向において前記第１壁部を接続しており、
前記補強部材には、夫々、補強片が更に設けられており、
前記補強片は、前記第１方向において、前記支持部から延びており、且つ、前記第３方向において、夫々、前記第２壁部の外側に近接して位置し、前記第２壁部を補強している
コネクタ。
【請求項５】
請求項４記載のコネクタであって、
前記補強部材には、夫々、前記補強片から前記第３方向において互いに向かって突出した維持部が更に設けられており、
前記維持部は、前記第１方向において、前記支持部から離れて位置しており、
前記第２壁部は、前記維持部と前記支持部の間に位置している
コネクタ。
【発明の詳細な説明】
【技術分野】
【０００１】
本発明は、回路基板に搭載されるコネクタであって、相手側回路基板に搭載された相手側コネクタと嵌合可能なコネクタに関する。
【背景技術】
【０００２】
特許文献１は、図２７に示されるように、回路基板９１０及び相手側回路基板９６０に夫々搭載されたコネクタ９００及び相手側コネクタ９５０を開示している。コネクタ９００は、絶縁体からなるハウジング９２０と、導電体からなる複数の端子９３０とを備えている。ハウジング９２０には、圧入孔９２５が形成されている。端子９３０には、夫々、圧入部９３５が設けられている。圧入孔９２５に圧入部９３５が夫々圧入されて、端子９３０がハウジング９２０に保持されている。圧入孔９２５に対する圧入部９３５の圧入の際にハウジング９２０が破損しないように、ハウジング９２０の肉厚を厚くして、ある程度の強度を確保している。相手側コネクタ９５０は、絶縁体からなる相手側ハウジング９７０と、導電体からなる複数の相手側端子９８０とを備えている。相手側端子９８０は相手側ハウジング９７０に保持されている。
【先行技術文献】
【特許文献】
【０００３】
【特許文献１】特開２００６−３０２９０１号公報、図２
【発明の概要】
【発明が解決しようとする課題】
【０００４】
本発明は、より小型化されたコネクタを提供することを目的とする。
【課題を解決するための手段】
【０００５】
本発明は、第１のコネクタとして、
第１方向において相手側コネクタと嵌合するコネクタであって、
前記コネクタは、複数の被保持部を有するハウジングと、前記被保持部に夫々対応する複数の端子とを備えており、
前記端子の夫々は、基部と、第１部位と、第２部位と、第３部位とを有しており、
前記第１部位は、前記基部から直接延びており、
前記第１部位には、前記第１方向と直交する第２方向において前記第２部位に向かって突出する第１接点部が設けられており、
前記第２部位は、前記基部から直接延びており、
前記第２部位には、前記第２方向において前記第１部位に向かって突出すると共に前記第１接点部と対向する第２接点部と、前記第２方向において前記第３部位に向かって突出する突起とが設けられており、
前記第３部位は、前記基部から直接延びており、
前記被保持部の夫々は、当該被保持部に対応する前記端子の前記第２部位と前記第３部位とに保持される
コネクタを提供する。
【０００６】
また、本発明は、第２のコネクタとして、第１のコネクタであって、
前記相手側コネクタは、前記端子に夫々対応する複数の相手側端子を備えており、
前記コネクタが前記相手側コネクタと嵌合したとき、前記相手側端子の夫々が、当該相手側端子に対応する前記端子の前記第１接点部と前記第２接点部との間に挟まれ、それによって、前記突起が前記被保持部に対して押し付けられる
コネクタを提供する。
【０００７】
また、本発明は、第３のコネクタとして、第２のコネクタであって、
前記第２部位は、端部を有しており、
前記第１方向において、前記端部と前記基部との間の距離は、前記突起と前記基部との間の距離よりも大きく、
前記コネクタが前記相手側コネクタと嵌合する前、前記端部は前記第２方向において前記被保持部から離れて位置しており、
前記コネクタが前記相手側コネクタと嵌合すると、前記端部が前記被保持部まで又は前記被保持部に向かって移動する
コネクタを提供する。
【０００８】
また、本発明は、第４のコネクタとして、第１乃至第３のいずれかのコネクタであって、
前記端子の夫々には、前記コネクタが回路基板に搭載されたときに前記回路基板に固定される被固定部が設けられており、
前記被固定部は、前記第３部位から延びており、且つ、前記第１方向において前記基部から離れて位置している
コネクタを提供する。
【０００９】
また、本発明は、第５のコネクタとして、第４のコネクタであって、
前記ハウジングに取り付けられた補強部材を更に備えており、
前記補強部材の夫々は、支持部と留め部とを有しており、
前記支持部は、前記コネクタが前記相手側コネクタと嵌合する際に、前記ハウジングを受け止めて支持しており、
前記留め部は、前記第２方向において前記支持部から互いに逆方向に延びており、
前記留め部は、前記コネクタが前記回路基板に搭載されたときに前記回路基板に固定され、前記支持部を前記回路基板に対して留める
コネクタを提供する。
【００１０】
また、本発明は、第６のコネクタとして、第５のコネクタであって、
前記ハウジングは、２つの第１壁部と２つの第２壁部とを有しており、
前記第１壁部は、前記第２方向において、互いに離れて位置しており、
前記第１壁部の夫々は、前記被保持部を有しており、
前記第２壁部は、前記第１方向及び前記第２方向の双方と直交する第３方向において、互いに離れて位置しており、
前記第２壁部の夫々は、前記第２方向において前記第１壁部を接続しており、
前記補強部材には、夫々、補強片が更に設けられており、
前記補強片は、前記第１方向において、前記支持部から延びており、且つ、前記第３方向において、夫々、前記第２壁部の外側に近接して位置し、前記第２壁部を補強している
コネクタを提供する。
【００１１】
また、本発明は、第７のコネクタとして、第６のコネクタであって、
前記補強部材には、夫々、前記補強片から前記第３方向において互いに向かって突出した維持部が更に設けられており、
前記維持部は、前記第１方向において、前記支持部から離れて位置しており、
前記第２壁部は、前記維持部と前記支持部の間に位置している
コネクタを提供する。
【発明の効果】
【００１２】
各端子には、ハウジングに圧入される部位が設けられていない。代わりに、ハウジングには被保持部が設けられており、被保持部の夫々が当該被保持部に対応する端子の第２部位と第３部位との間に挿入され、それら第２部位と第３部位により保持されている。そのため、ハウジングは、特許文献１のコネクタのような厚みを有する必要がない。ハウジングを小型化することができ、従って、コネクタを小型化することができる。
【図面の簡単な説明】
【００１３】
【図１】本発明の第１の実施の形態によるコネクタを示す上面斜視図である。
【図２】図１のコネクタを示す底面斜視図である。
【図３】図１のコネクタを示す上面図である。
【図４】図３のコネクタをＡ--Ａ線に沿って示す断面図である。
【図５】図３のコネクタをＢ--Ｂ線に沿って示す断面図である。
【図６】図３のコネクタをＣ--Ｃ線に沿って示す断面図である。
【図７】図２のコネクタのうち円Ｄで囲まれた部分を示す拡大図である。
【図８】図４のコネクタのうち円Ｅで囲まれた部分を示す拡大図である。
【図９】図１のコネクタに含まれるハウジングを示す上面斜視図である。
【図１０】図９のハウジングを示す底面斜視図である。
【図１１】図９のハウジングをＦ--Ｆ線に沿って示す断面図である。
【図１２】図１のコネクタに含まれる端子を示す斜視図である。
【図１３】図１のコネクタに含まれる補強部材を示す斜視図である。
【図１４】図１３の補強部材を示す側面図である。
【図１５】相手側コネクタを示す断面図である。
【図１６】図４のコネクタを図１５の相手側コネクタと嵌合した状態を示す図である。
【図１７】本発明の第２の実施の形態によるコネクタを示す上面斜視図である。
【図１８】図１７のコネクタを示す底面斜視図である。
【図１９】図１７のコネクタを示す上面図である。
【図２０】図１９のコネクタをＧ--Ｇ線に沿って示す断面図である。
【図２１】図１９のコネクタをＨ--Ｈ線に沿って示す断面図である。
【図２２】図１９のコネクタをＪ--Ｊ線に沿って示す断面図である。
【図２３】図１７のコネクタのうち円Ｋで囲まれた部分を示す拡大図である。
【図２４】図１７のコネクタに含まれるハウジングを示す上面斜視図である。
【図２５】図２４のハウジングのうち円Ｌで囲まれた部分を示す拡大図である。
【図２６】図１７のコネクタに含まれる補強部材を示す斜視図である。
【図２７】特許文献１のコネクタと相手側コネクタを示す図である。
【発明を実施するための形態】
【００１４】
（第１の実施の形態）
図４を参照すると、本発明の第１の実施の形態によるコネクタ１は、回路基板５に搭載され固定されるものである。特に、本実施の形態の回路基板５には、凹部６が形成されており、コネクタ１は、回路基板５に搭載されると、凹部６内に部分的に収容される。図４、図１５及び図１６から理解されるように、コネクタ１は、相手側コネクタ３とＺ方向（第１方向）に沿って嵌合する。図１５に示されるように、相手側コネクタ３は、相手側回路基板７に搭載され固定されるものである。上述したことから理解されるように、コネクタ１と相手側コネクタ３とは、基板対基板コネクタ組立体を構成している。図１５に示されるように、相手側コネクタ３は、相手側ハウジング１１０と、複数の相手側端子１２０を備えている。相手側端子１２０は、相手側ハウジング１１０に保持されている。
【００１５】
図１乃至図３を参照すると、コネクタ１は、絶縁体からなるハウジング１０と、導電体からなる複数の端子４０と、金属からなる２つの補強部材７０とを備えている。
【００１６】
図９に示されるように、ハウジング１０は、２つの第１壁部１２と、２つの第２壁部１４と、底部１６と、島状部１８とを有している。第１壁部１２は、Ｘ方向（第２方向）において、互いに離れて位置している。第１壁部１２の夫々は、Ｙ方向（第３方向）に長く延びている。各第１壁部１２には、複数の被保持部２２が設けられている。図１、図４及び図９から理解されるように、被保持部２２は、夫々、端子４０と対応している。図９に示されるように、第２壁部１４は、Ｙ方向において、互いに離れて位置している。第２壁部１４の夫々は、Ｘ方向において第１壁部１２を接続している。島状部１８は、底部１６からＺ方向に突出している。島状部１８は、Ｙ方向に長く延びている。第１壁部１２及び第２壁部１４と島状部１８との間には、受容部２０が形成されている。本実施の形態の第１壁部１２は、Ｙ方向において約１２ｍｍの長さを有しており、Ｘ方向において約０．２ｍｍの厚みを有している。このことから理解されるように、コネクタ１は極めて小さい。
【００１７】
図９乃至図１１に示されるように、ハウジング１０には、複数の端子収容部２４が形成されている。図１、図４、図９及び図１１から理解されるように、端子収容部２４は、端子４０に夫々対応している。図９及び図１０に示されるように、端子収容部２４は、底部１６を貫通しており、受容部２０と繋がっている。図９乃至図１１に示されるように、端子収容部２４は、第１壁部１２及び島状部１８内にも部分的に形成されている。図１１に示されるように、本実施の形態の被保持部２２は、端子収容部２４内に位置している。
【００１８】
図９及び図１０に示されるように、各第１壁部１２には、２つの被圧入部２６が形成されている。各被圧入部２６は、第１壁部１２のＹ方向における一端に位置しており、Ｘ方向において内側に向かって凹んでいる。各第２壁部１４には、凹部２８が形成されている。凹部２８は、Ｙ方向において内側に向かって凹んでいる。
【００１９】
図１６に示されるように、端子４０は、相手側端子１２０に夫々対応している。図４に示されるように、端子４０は、夫々、端子収容部２４内に部分的に収容されている。
【００２０】
図１２に示されるように、各端子４０は、金属板を打ち抜いて形成されたものであり、曲げ形成はなされていない。即ち、端子４０は、打ち抜かれた部材である。図４及び図１２に示されるように、各端子４０は、基部４２と、第１部位４４と、第２部位４８と、第３部位５６と、被固定部５８とを有している。詳しくは、図１２は、図４に示される２つの端子４０のうちの＋Ｘ側の一方を示す。図４に示された２つの端子４０は、互いに同じ構造を有しており、線対称に配置されている。
【００２１】
図４及び図１２に示されるように、第１部位４４は、略Ｌ字状の形状を有しており、弾性変形可能である。第１部位４４は、Ｘ方向において内側に向かって基部４２から直接延びている。第１部位４４には、Ｘ方向において第２部位４８に向かって突出する第１接点部４６が設けられている。図４及び図５に示されるように、コネクタ１が相手側コネクタ３と嵌合していないとき、第１接点部４６は、受容部２０内に突出している。
【００２２】
図４及び図１２に示されるように、第２部位４８は、基部４２からＺ方向に直接延びている。第２部位４８には、第２接点部５２と突起５４とが設けられている。Ｚ方向において、端部５０と基部４２との間の距離は、突起５４と基部４２との間の距離よりも大きい。即ち、Ｚ方向において、突起５４は、第２部位４８の端部５０と基部４２との間に位置している。第２接点部５２は、Ｘ方向において第１部位４４に向かって突出している。特に、図４及び図５に示されるように、本実施の形態の第２接点部５２は、コネクタ１が相手側コネクタ３と嵌合していないとき、受容部２０内に突出している。更に、図４及び図１２に示されるように、第２接点部５２は、Ｘ方向において第１接点部４６と対向している。即ち、図４に示されるように、コネクタ１が相手側コネクタ３と嵌合していないとき、Ｘ方向において第１接点部４６と第２接点部５２との間には何も存在していない。図４及び図１２に示されるように、突起５４は、Ｘ方向において第３部位５６に向かって突出している。
【００２３】
図４及び図１２に示されるように、第３部位５６は、基部４２からＺ方向に直接延びている。第２部位４８と第３部位５６とは、Ｘ方向において離れて位置している。図４、図１１及び図１２から理解されるように、各被保持部２２は、その被保持部２２に対応する端子４０の第２部位４８と第３部位５６と間に挿入され、第２部位４８と第３部位５６に挟まれ保持される。図８に最もよく示されるように、本実施の形態の第２部位４８の端部５０は、Ｘ方向において被保持部２２から離れて位置している。
【００２４】
図４に示されるように、被固定部５８は、コネクタ１が回路基板５に搭載されたときに回路基板５に対して例えば半田付けにより固定される。図４及び図１２に示されるように、被固定部５８は、Ｘ方向において外側に向かって第３部位５６から延びている。被固定部５８は、Ｚ方向において基部４２から離れて位置している。そのため、図４に示されるように、コネクタ１を回路基板５の凹部６内に部分的に収容しつつ、回路基板５にコネクタ１を固定することができる。
【００２５】
図１３及び図１４に示されるように、補強部材７０は、支持部７２と、２つの留め部７６と、１つの補強片７８とを有している。詳しくは、図１３及び図１４は、図１に示される２つの補強部材７０のうちの＋Ｙ側の一方を示す。図１に示される２つの補強部材７０は、互いに同じ構造を有しており、線対称に配置されている。
【００２６】
図１３及び図１４に示されるように、支持部７２は、幅広く角ばったようなＵ字状の形状を有している。支持部７２には、Ｙ方向に突出した圧入部７４が設けられている。留め部７６は、Ｘ方向において支持部７２から互いに逆方向に延びている。補強片７８は、支持部７２からＺ方向に延びている。
【００２７】
図１及び図２に示されるように、補強部材７０は、ハウジング１０に取り付けられる。図２、図７及び図１０から理解されるように、圧入部７４は被圧入部２６に圧入され保持される。これにより、図５に示されるように、支持部７２は、ハウジング１０の底部１６の一部と第１壁部１２の一部を外側から囲っている。図１、図６及び図９から理解されるように、補強片７８は、凹部２８内に受容されている。図６に示されるように、補強片７８は、Ｙ方向において、第２壁部１４の外側に近接して位置し、第２壁部１４を補強している。コネクタ１が相手側コネクタ３（図５参照）と嵌合する際、相手側コネクタ３の一部が第２壁部１４に当たり、第２壁部１４をＹ方向において外側に押す場合がある。そのような場合であっても、補強片７８が第２壁部１４を補強しているので、第２壁部１４の破損を避けることができる。
【００２８】
図５に示されるように、留め部７６は、コネクタ１が回路基板５に搭載されたときに回路基板５に固定され、支持部７２を回路基板５に対して留める。図４及び図５に示されるように、コネクタ１は回路基板５の凹部６内に配置されている。そのため、コネクタ１と相手側コネクタ３（図５参照）とが嵌合する際、回路基板５はコネクタ１を支えることはできない。その代わり、図５から理解されるように、コネクタ１が相手側コネクタ３と嵌合する際に、支持部７２がハウジング１０を受け止めて支持する。
【００２９】
図１６に示されるように、コネクタ１が相手側コネクタ３と嵌合したとき、相手側端子１２０の夫々が、当該相手側端子１２０に対応する端子４０の第１接点部４６と第２接点部５２との間に挟まれ、それによって、突起５４が被保持部２２に対して押し付けられる。図８に示されるように、本実施の形態においては、コネクタ１が相手側コネクタ３と嵌合する前、端部５０はＸ方向において被保持部２２から離れて位置している。図１６に示されるように、コネクタ１が相手側コネクタ３と嵌合すると、端部５０が被保持部２２に向かって移動する。特に、本実施の形態においては、コネクタ１が相手側コネクタ３と嵌合すると、端部５０が被保持部２２に接触する。これにより、突起５４が被保持部２２に対して、より強く押し付けられ、端子４０によるハウジング１０の保持が強化される。そのため、コネクタ１を相手側コネクタ３から抜去する際に、ハウジング１０が端子４０から外れてしまうことを避けることができる。
【００３０】
（第２の実施の形態）
図１乃至図６並びに図１７乃至図２２を参照すると、本発明の第２の実施の形態によるコネクタ１Ａは上述した第１の実施の形態のコネクタ１の変形例である。コネクタ１Ａは、補強部材７０Ａとその周辺部の構造のみにおいて、コネクタ１と異なっている。図１７乃至図２６において、図１乃至図１６を用いて既に説明された構成要素と同一の構成要素については同一の参照符号を付し、それらの構成要素については詳細な説明を省略する。例えば、コネクタ１Ａの端子４０は、上述した第１の実施の形態の端子４０と同じである。同様に、コネクタ１Ａのハウジング１０Ａと端子４０との構造的関係は、上述したコネクタ１のハウジング１０と端子４０との構造的関係と同じである。
【００３１】
図２４及び図２５に示されるように、本実施の形態のハウジング１０Ａの第２壁部１４Ａには、被維持部３０Ａが形成されている。本実施の形態の被維持部３０Ａは、Ｚ方向において凹んでおり、底部１６に向かって延びる斜面を有している。
【００３２】
図１７及び図２６に示されるように、各補強部材７０Ａには、Ｙ方向とＺ方向の双方と斜交する方向に向かって補強片７８Ａから延びる維持部８０Ａが更に設けられている。図１７に示されるように、補強部材７０Ａがハウジング１０Ａに取り付けられると、維持部８０Ａは、Ｙ方向において、互いに向かって突出する。図２２に最もよく示されるように、維持部８０Ａは、Ｚ方向において支持部７２から離れて位置している。図２２及び図２３に示されるように、維持部８０Ａは、被維持部３０Ａに沿うように底部１６に向かって延びている。図２２に示されるように、第２壁部１４Ａの被維持部３０Ａは、維持部８０Ａと支持部７２との間に位置している。そのため、コネクタ１を相手側コネクタ３から抜去する際、ハウジング１０Ａが相手側コネクタ３に追従して補強部材７０Ａから外れてしまうことを防ぐことができる。
【００３３】
上述した実施の形態によるコネクタ１，１Ａは、種々変形可能である。例えば、上述した実施の形態によるハウジング１０，１０Ａには、凹部２８が設けられていたが、凹部２８は設けられていなくてもよい。また、被維持部３０Ａは、斜面に代えて、Ｚ方向と直交する面を有していてもよい。
【符号の説明】
【００３４】
１，１Ａ        コネクタ
３        相手側コネクタ
５        回路基板
６        凹部
７        相手側回路基板
１０，１０Ａ        ハウジング
１２        第１壁部
１４，１４Ａ        第２壁部
１６        底部
１８        島状部
２０        受容部
２２        被保持部
２４        端子収容部
２６        被圧入部
２８        凹部
３０Ａ        被維持部
４０        端子
４２        基部
４４        第１部位
４６        第１接点部
４８        第２部位
５０        端部
５２        第２接点部
５４        突起
５６        第３部位
５８        被固定部
７０，７０Ａ        補強部材
７２      支持部
７４        圧入部
７６        留め部
７８，７８Ａ        補強片
８０Ａ        維持部
１１０        相手側ハウジング
１２０        相手側端子
【図１】
0006537890.tif 000002
【図２】
0006537890.tif 000003
【図３】
0006537890.tif 000004
【図４】
0006537890.tif 000005
【図５】
0006537890.tif 000006
【図６】
0006537890.tif 000007
【図７】
0006537890.tif 000008
【図８】
0006537890.tif 000009
【図９】
0006537890.tif 000010
【図１０】
0006537890.tif 000011
【図１１】
0006537890.tif 000012
【図１２】
0006537890.tif 000013
【図１３】
0006537890.tif 000014
【図１４】
0006537890.tif 000015
【図１５】
0006537890.tif 000016
【図１６】
0006537890.tif 000017
【図１７】
0006537890.tif 000018
【図１８】
0006537890.tif 000019
【図１９】
0006537890.tif 000020
【図２０】
0006537890.tif 000021
【図２１】
0006537890.tif 000022
【図２２】
0006537890.tif 000023
【図２３】
0006537890.tif 000024
【図２４】
0006537890.tif 000025
【図２５】
0006537890.tif 000026
【図２６】
0006537890.tif 000027
【図２７】
0006537890.tif 000028